(57)【要約】      （修正有）【課題】搬送ローラ端部又はその他の箇所での選別対象物の巻き込みトラブルの発生を防止できる選別機を提供する。【解決手段】収容部の第１側壁部１３の内面下側にガイドプレート３５を設ける。ガイドプレートを、内側に向かって下降傾斜する上側のガイド部３７と、このガイド部の下端から下側に延びるブロック部３９と、を一体的に有するように形成し、ブロック部の下端部に、それぞれの搬送ローラ２３に対応する半円形の収容凹部４１を設けておく。ガイドプレート３５を、収容凹部４１がローラ本体２５の端部の上側半分又はほぼ半分を収容し、挿入部４３がローラ本体同士の隙間の上側を埋めるように設ける。【選択図】図６
0003192977.tif 000002
【実用新案登録請求の範囲】
【請求項１】
投入物を搬送しながらふるいわけして分離選別する選別機であって、
一対の側壁間に回転可能に掛け渡され、前記投入物を搬送する方向に並んで配置された複数本の搬送ローラと、
それぞれの前記搬送ローラの外周に長さ方向に隙間を設けて配置された複数枚の長円形のディスクと、
前記搬送ローラを回転させる駆動装置と、を備え、
それぞれの前記搬送ローラに設けられた前記ディスクは、前記搬送ローラの長さ方向で隣り合う前記ディスク同士が周方向に９０度ずれるように配置され、
前記側壁の内側には、それぞれの前記搬送ローラの端部に被さる円弧状の凹部が下端部に連続的に形成されたガイドプレートが設けられている、ことを特徴とする選別機。
【請求項２】
前記ディスクは、前記投入物を搬送する方向で整列するように、それぞれの前記搬送ローラに設けられている、ことを特徴とする請求項１記載の選別機。
【請求項３】
それぞれの前記搬送ローラは、大径のローラ本体と、前記ローラ本体に接続され、このローラ本体の長さ方向端部から外側に延びる小径の駆動軸部と、を有していて、
前記ディスクは前記ローラ本体に設けられ、前記ガイドプレートの前記凹部は前記ローラ本体の端部に被さっている、ことを特徴とする請求項２記載の選別機。
【考案の詳細な説明】
【技術分野】
【０００１】
本考案は、投入物から例えばペットボトルや空き缶などを分離して選別する選別機に関する。
【背景技術】
【０００２】
産業廃棄物や一般廃棄物から空きびん、空き缶及びペットボトルなどを選別する選別機としては、例えば特許文献１に記載されたような選別機を使用することができる。この選別機は、外周に長さ方向に隙間を設けて配置された複数枚の長円形のディスクを有する複数本の搬送ローラを、投入物を搬送する方向に並べて配置することにより構成されている。搬送ローラを回転させると長円形のディスクが回転するので、投入物はこのディスクによって上下に揺れ動きながら又は振動しながら搬送される。搬送ローラ間の隙間は小さいので、空き缶やペットボトルは排出位置まで搬送され、たばこの吸い殻や紙くずなどの小さな異物は搬送ローラ間の隙間から落下する。このようにして産業廃棄物や一般廃棄物から空き缶等が分離され選別される。
【０００３】
ディスクは搬送ローラの長さ方向で隣り合うディスク同士が周方向にずれるように配置されているので、投入物は不規則に揺れ動き又は振動することとなる。したがって、空き缶等に異物が付着しているような場合でも異物を分離して搬送ローラ間の隙間から落下させることができる。また、ガイドプレートが設けられているので、搬送ローラによって構成される搬送路の側縁に選別対象物が寄ることによる選別対象物の巻き込みも防止することができる。
【先行技術文献】
【特許文献】
【０００４】
【特許文献１】特開２００５−１３９６０９号公報
【考案の概要】
【考案が解決しようとする課題】
【０００５】
しかしながら、特許文献１の選別機では、搬送ローラの端部で搬送ローラ間に長い隙間や大きな隙間があいているので、ガイドプレートを設けただけでは搬送ローラの端部間の隙間に選別対象物が巻き込まれてしまうことを効果的に防止できない。
【０００６】
そこで本考案は、搬送ローラの端部での又はその他の個所での選別対象物の巻き込みトラブルの発生を防止できる選別機の提供を目的とする。
【課題を解決するための手段】
【０００７】
この目的を達成するための本考案の選別機は、投入物を搬送しながらふるいわけして分離選別する選別機であって、一対の側壁間に回転可能に掛け渡され、前記投入物を搬送する方向に並んで配置された複数本の搬送ローラ（搬送ロール又は搬送シャフト）と、それぞれの前記搬送ローラの外周に長さ方向に隙間を設けて配置された複数枚の長円形（楕円形及びほぼ楕円形を含む）のディスク（ロータ又はブレード）と、前記搬送ローラを回転させる駆動装置と、を備え、それぞれの前記搬送ローラに設けられた前記ディスクは、前記搬送ローラの長さ方向で隣り合う前記ディスク同士が周方向に９０度ずれるように配置され、前記側壁の内側には、それぞれの前記搬送ローラの端部に被さる円弧状の凹部が下端部に連続的に形成されたガイドプレートが設けられているものである。ガイドプレートの凹部と凹部との間の部分が搬送ローラ間に入り込むので、この部分で搬送ローラ間の隙間を分断することができる。
【０００８】
あるいは、この目的を達成するための本考案の選別機は、投入物を搬送しながらふるいわけして分離選別する選別機であって、一対の側壁間に回転可能に掛け渡され、前記投入物を搬送する方向に並んで配置された複数本の搬送ローラ（搬送ロール又は搬送シャフト）と、それぞれの前記搬送ローラの外周に長さ方向に隙間を設けて配置された複数枚の長円形（楕円形及びほぼ楕円形を含む）のディスク（ロータ又はブレード）と、前記搬送ローラを回転させる駆動装置と、を備え、それぞれの前記搬送ローラに設けられた前記ディスクは、前記搬送ローラの長さ方向で隣り合う前記ディスク同士が周方向に９０度ずれるように配置されているものである。
【０００９】
ディスクは、投入物を搬送する方向で整列するように、それぞれの搬送ローラに設けることができる。ここで、投入物を搬送する方向で隣り合うディスク同士が周方向に９０度ずれるように配置しておけば、投入物を搬送する方向で隣り合うディスク同士の隙間を常にきわめて狭いものとしておくことができる。
【００１０】
それぞれの搬送ローラを、大径のローラ本体と、このローラ本体の長さ方向端部から外側に延びる小径の駆動軸部と、を有するように構成し、ディスクをローラ本体に設け、ガイドプレートの凹部をローラ本体の端部に被さるように形成することができる。このように構成しておけば、小径の駆動軸部の手前で搬送ローラ間の隙間を分断することができる。ローラ本体は、例えば筒状に形成される。
【考案の効果】
【００１１】
本考案の選別機では、選別対象物を確実に分離選別して回収できる。
【図面の簡単な説明】
【００１２】
【図１】本考案に係る選別機の正面図である。
【図２】選別機の平面図である。
【図３】選別機の側面図である。
【図４】搬送ローラの断面図である。
【図５】ディスクの周方向の位置関係を示す図である。
【図６】ガイドプレート個所を示す図である。
【図７】ディスクの回転作動状態を示す図である。
【考案を実施するための形態】
【００１３】
以下、図面を参照して本考案の実施の形態を説明する。
【００１４】
まず、図１乃至図３を参照して本考案に係る選別機の構成を説明する。
【００１５】
選別機１は、産業廃棄物又は一般廃棄物から空き缶、空きびん及びペットボトルなどの容器を選別して回収するためのものであり、上面開口のケース３と、このケース３内の下側に設けられたローラ装置５と、ケース３の外側に設けられた、ローラ装置５を駆動するためのモータ（駆動装置）７と、を備えて構成され、例えば回収ケース（回収容器）を有する基台（図示せず）上に取り付けられて使用される。
【００１６】
ケース３は、上側の収容部９及び下側の支持部１１を備え、収容部９は一対の第１側壁部１３及び投入側の前壁部１５を有していて、支持部１１は、収容部９の一対の第１側壁部１３の下側にそれぞれ取り付けられている一対の第２側壁部１７を有している。
【００１７】
ローラ装置５は、両端部がベアリング１９、２１を介して支持部１１の第２側壁部１７によって回転可能に支持された搬送ローラ（搬送シャフト）２３を前後方向（搬送方向）に複数本配置することにより構成されている。それぞれの搬送ローラ２３は、大径の筒状ローラ本体２５と、このローラ本体２５に通されて両端部がローラ本体２３の両端から外側に延びる小径の駆動軸部２７と、を有していて（図４参照）、ローラ本体２５の外周には、長さ方向に等間隔で複数枚のディスク（ブレード）３１が固定されている。ローラ本体２３の一端から外側に延びる小径の駆動軸部２７は一方側の小径軸部２８を構成し、ローラ本体２３の他端から外側に延びる小径の駆動軸部２７は他方側の小径軸部２９を構成している。ディスク３１はそれぞれ楕円形又はほぼ楕円形を有して同一の形状に形成され（特に図５参照）、それぞれの搬送ローラ２３の長さ方向で隣り合うディスク３１同士は、一方の長軸の周方向の位置が他方の短軸の周方向の位置と一致するように、周方向に９０度ずれて配置されている（特に図５及び図７参照）。また、ディスク３１は、前後方向に整列するようにそれぞれのローラ本体２５に設けられているが、前後方向で隣り合うディスク３１同士は、やはり、一方の長軸の周方向の位置が他方の短軸の周方向の位置と一致するように、周方向に９０度ずれて配置されている（特に図５及び図７参照）。
【００１８】
隣り合う搬送ローラ２３のローラ本体２５同士の間隔は狭く、また、前後方向に隣り合うディスク３１同士は、例えば常に、若干の隙間を保持して回転するように設けられている。したがって、幅方向（搬送ローラ２３の長さ方向）で隣り合うディスク３１によって区画された、隣り合うローラ本体２５同士の隙間によって形成されるスペース３３が、たばこの吸い殻や紙くずなどの産業廃棄物又は一般廃棄物中の小さな異物を落下させて分離する選別孔を形成している。
【００１９】
収容部９の第１側壁部１３の内面下側にはそれぞれ、ガイドプレート３５又は幅方向両側の一対のガイドプレート３５が設けられ、このガイドプレート３５はそれぞれ、内側に向かって下降傾斜する上側のガイド部３７と、このガイド部３７の下端から下側に延びるブロック部３９と、を一体的に有し、ブロック部３９の下端部には、図６に示すように、それぞれの搬送ローラ２３に対応する半円形又はほぼ半円形の収容凹部４１が設けられ、収容凹部４１の間で挿入部４３が形成されていて、ガイドプレート３５は、収容凹部４１がローラ本体２５の端部の上側半分又はほぼ半分を収容し又は内側に収め、挿入部４３がローラ本体２５同士の隙間の上側を埋めるように設けられている。なお、収容凹部４１はローラ本体２５よりも若干大径に形成され、挿入部４３はローラ本体２５同士の隙間よりも若干狭く形成されている。
【００２０】
それぞれの搬送ローラ２３の一方側の小径軸部２８はベアリング１９を貫通して外側に延び、ベアリング１９を貫通して外側に延びている小径軸部２８のこの部分には内外に２つのスプロケット４５、４７が設けられていて、両端の搬送ローラ２３を除いてそれぞれの搬送ローラ２３は、隣り合う一方側（一側）の搬送ローラ２３と内側のスプロケット４５同士をチェーン４９で連結することにより接続され、隣り合う他方側（他側）の搬送ローラ２３と外側のスプロケット４７同士をチェーン４９で連結することにより接続されている。
【００２１】
中央に位置する搬送ローラ２３の他方側の小径軸部２９はベアリング２１を貫通して外側に延び、モータ７に接続されている。
【００２２】
なお、図中５１はスプロケット４５、４７個所を覆うカバーである。
【００２３】
次に、図７を参照して搬送ローラ２３の動きを説明する。
【００２４】
モータ７により中央の搬送ローラ２３を搬送方向（矢印参照）に回転駆動すると、チェーン４９により回転力が伝達されてすべての搬送ローラ２３が搬送方向に等速度で回転し、それぞれの搬送ローラ２３に設けられたディスク３１も図７の（ａ）→（ｂ）→（ｃ）→（ｄ）→（ｅ）→（ｆ）→（ｇ）の過程を経ながらすべて搬送方向に回転するが、搬送方向に整列しているディスク３１の列では、隣り合うディスク３１同士は若干の隙間を保持して回転する。ディスク３１の回転により産業廃棄物又は一般廃棄物は上下左右に揺れ動きながらあるいは振動しながら搬送されるが、ガイドプレート３５のブロック部３９により、産業廃棄物又は一般廃棄物が搬送ローラ２３の端側に移動し、比較的大きな産業廃棄物又は一般廃棄物が搬送ローラ２３の隙間から落下したり、比較的大きな産業廃棄物又は一般廃棄物が搬送ローラ２３の隙間に挟まったりするのを防止している。したがって、前壁部１５側からケース３の上側の収容部９内に産業廃棄物又は一般廃棄物を投入すると、空き缶やペットボトルは搬送ローラ２３間に巻き込まれることなく搬送され、前壁部１５と反対側の排出口又は排出側５３から排出される。なお、ガイドプレート３５のガイド部３７は、例えば高くはね上がった産業廃棄物又は一般廃棄物を幅方向中央側に落下させるように機能する。
【産業上の利用可能性】
【００２５】
本考案の選別機は例えば産業廃棄物又は一般廃棄物の選別で使用することができる。
【符号の説明】
【００２６】
１                    選別機
１３                第１側壁部
１７                第２側壁部
２３                搬送ローラ
３１                ディスク
３５                ガイドプレート
４１                収容凹部
【図１】
0003192977.tif 000003
【図２】
0003192977.tif 000004
【図３】
0003192977.tif 000005
【図４】
0003192977.tif 000006
【図５】
0003192977.tif 000007
【図６】
0003192977.tif 000008
【図７】
0003192977.tif 000009